(57)【要約】      （修正有）【課題】工具箱の移動中に腕への負担を軽減でき、工具箱の収納と取り出しに便利である手提げ工具箱を提供する。【解決手段】手提げ工具箱は、ケース１０を含み、ケースは上昇して押し引き棒を押し動かして回転連動させ、前記押し環を外部に回転させ、押し環がケースを押し動かせる。工具箱を上昇させることができ、そしてローラ３３は力を受け、工具箱を支え、またローラの回転によって、工具箱の移動中に腕への負担を軽減でき、工具箱の収納と取り出しに便利である。【選択図】図１
2020175165.tif 000002
【特許請求の範囲】
【請求項１】
正面視で、ケースを含み、前記ケースの中には置きチャンバが設置され、前記ケースの上端にはケース蓋が回転可能に設置され、前記ケース蓋と前記ケースとはパスワードロックによって連結され、前記置きチャンバの下側には昇降溝が設置され、前記昇降溝の中には移動ブロックが設置され、前記移動ブロックの中には空き溝が左右対称に設置され、前記空き溝の中にはネジ山軸が回転可能に設置され、左右の前記ネジ山軸の下端の間にはベルトによって伝動可能に連結され、前記昇降溝の上端壁の中には左右対称なネジ山溝が連通するように設置され、前記ネジ山軸の上端は前記ネジ山溝の中に位置し、且つ前記ネジ山溝とネジ山によって連結され、左側の前記ネジ山軸には第一傘歯車が固定的に設置され、前記第一傘歯車の左端には第二傘歯車が噛み合えるように連結され、前記第二傘歯車の左端には回転軸が固定的に設置され、左側の前記空き溝の後端には回転ロック装置が設置され、前記回転ロック装置と前記回転軸とは回転可能に連結され、二つの前記空き溝にはそれぞれローラ溝が前後対称に設置され、前記ローラ溝の中にはローラが回転可能に設置され、前側の二つの前記ローラ溝の上端には引張装置が設置され、前記引張装置は前記ケースを引き動かすことができ、前記昇降溝の前後端壁の中にはそれぞれ位置制限溝が左右対称に設置され、前記位置制限溝の中には位置制限ブロックがスライド可能に設置され、前記位置制限ブロックのうち前記空き溝に近接した端は前記移動ブロックと固定的に連結され、前側の前記位置制限ブロックの中には通過溝が設置され、前記位置制限ブロックの下端と前記位置制限溝との間には圧縮ばねが固定的に設置され、前側の前記位置制限溝の下端壁には付勢ブロックが固定的に設置され、前記付勢ブロックと前記引張装置とが当接でき、左後側の前記位置制限溝の後端壁の中には上下対称な引掛り溝が連通するように設置され、前記引掛り溝と前記回転ロック装置とが引掛りって前記ケースの位置を固定でき、
前記ケースが上昇する時に、前記ローラによって前記ケースの移動を連動させることを特徴とする手提げ工具箱。
【請求項２】
前記回転ロック装置は前記昇降溝と外部とを連通する連通溝を含み、前記回転軸の左端は前記連通溝の中に位置し、且つ前記回転軸の左端には回転棒が回転可能に連結され、前記空き溝の後側にはロック溝が設置され、前記ロック溝の後端壁の中には動かし溝が連通するように設置され、前記動かし溝の中には前記回転棒と当接した動かし棒がスライド可能に設置され、前記回転棒の左端は前記連通溝の中に位置し、前記動かし棒の後端と前記動かし溝との間には捩りばねが固定的に設置され、前記ロック溝の右端壁の中には圧迫ブロック溝が連通するように設置され、前記圧迫ブロック溝の中には前記回転棒の右端と当接した圧迫ブロックがスライド可能に設置され、前記圧迫ブロックの右端面は斜面であり、前記圧迫ブロックの右端と前記圧迫ブロック溝との間には圧迫ばねが固定的に設置され、前記圧迫ブロック溝の後端壁にはスライド溝が連通するように設置され、前記スライド溝の中には前記圧迫ブロックの後端面と当接したロック軸がスライド可能に設置され、前記ロック軸の後端は上側の前記引掛り溝の中に位置し、前記ロック溝の下端面には前記ロック軸を復位させることができる第一復位ユニットが固定的に設置され、
前記回転棒は回転し、前記ケースの上昇を連動させ、前記回転棒と前記動かし棒とが当接した時に、前記ケースの位置は固定されることを特徴とする請求項１に記載の手提げ工具箱。
【請求項３】
前記引張装置は前方に開口した回転溝を含み、前記回転溝と前記通過溝との間には押しブロックがスライド可能に設置され、前記押しブロックの上端には前記押しブロックを復位させることができる復位ユニットが固定的に設置され、前記回転溝の中には押し引き棒が回転可能に設置され、前記押し引き棒の後端と前記回転溝との間には回転ばねが固定的に設置され、前記昇降溝の前側と外部との間には収縮溝が連通するように設置され、左右の前記押し引き棒の前端は前記収縮溝の中に位置し、前記収縮溝の中には環状の押し環が設置され、前記押し環の後端と二つの前記押し引き棒の前端とが固定的に連結され、
前記ケースは上昇して前記押し引き棒を押し動かして回転連動させ、前記押し環を外部に回転させ、前記押し環が前記ケースを押し動かせることを特徴とする請求項１に記載の手提げ工具箱。
【発明の詳細な説明】
【技術分野】
【０００１】
本発明は箱分野を取り上げ、具体的には手提げ工具箱である。
【背景技術】
【０００２】
既存する工具箱のケースの外部には取っ手しか設置されていない。しかし、取っ手で工具箱を取ったり、持ち歩いたりする時に、金具などの工具が工具箱に置いてあるため、工具箱は重くて、持ち歩くのには力がかかる。また、工具箱を置く時に、基本的には横に向いて後ろから押すという形で収納棚に収納し、取り出す時に腕に負担をかけ、実に不便である。そのため、既存する工具箱にさらなる改進をする必要があり、工具箱の携帯性と実用性を向上させる。
【先行技術文献】
【特許文献】
【０００３】
【特許文献１】中国特許出願公開第１０３８１７６７４号明細書
【発明の概要】
【発明が解決しようとする課題】
【０００４】
本発明は手提げ工具箱を提供し、既存技術にある上記の欠点を解消することを目的とする。
【課題を解決するための手段】
【０００５】
本発明の手提げ工具箱は、ケースを含み、前記ケースの中には置きチャンバが設置され、前記ケースの上端にはケース蓋が回転可能に設置され、前記ケース蓋と前記ケースとはパスワードロックによって連結され、前記置きチャンバの下側には昇降溝が設置され、前記昇降溝の中には移動ブロックが設置され、前記移動ブロックの中には空き溝が左右対称に設置され、前記空き溝の中にはネジ山軸が回転可能に設置され、左右の前記ネジ山軸の下端の間にはベルトによって伝動可能に連結され、前記昇降溝の上端壁の中には左右対称なネジ山溝が連通するように設置され、前記ネジ山軸の上端は前記ネジ山溝の中に位置し、且つ前記ネジ山溝とネジ山によって連結され、左側の前記ネジ山軸には第一傘歯車が固定的に設置され、前記第一傘歯車の左端には第二傘歯車が噛み合えるように連結され、前記第二傘歯車の左端には回転軸が固定的に設置され、左側の前記空き溝の後端には回転ロック装置が設置され、前記回転ロック装置と前記回転軸とは回転可能に連結され、二つの前記空き溝にはそれぞれローラ溝が前後対称に設置され、前記ローラ溝の中にはローラが回転可能に設置され、前側の二つの前記ローラ溝の上端には引張装置が設置され、前記引張装置は前記ケースを引き動かすことができ、前記昇降溝の前後端壁の中にはそれぞれ位置制限溝が左右対称に設置され、前記位置制限溝の中には位置制限ブロックがスライド可能に設置され、前記位置制限ブロックのうち前記空き溝に近接した端は前記移動ブロックと固定的に連結され、前側の前記位置制限ブロックの中には通過溝が設置され、前記位置制限ブロックの下端と前記位置制限溝との間には圧縮ばねが固定的に設置され、前側の前記位置制限溝の下端壁には付勢ブロックが固定的に設置され、前記付勢ブロックと前記引張装置とが当接でき、左後側の前記位置制限溝の後端壁の中には上下対称な引掛り溝が連通するように設置され、前記引掛り溝と前記回転ロック装置とが引掛りって前記ケースの位置を固定でき、
前記ケースが上昇する時に、前記ローラによって前記ケースの移動を連動させる。
【０００６】
さらなる技術プランとして、前記回転ロック装置は前記昇降溝と外部とを連通する連通溝を含み、前記回転軸の左端は前記連通溝の中に位置し、且つ前記回転軸の左端には回転棒が回転可能に連結され、前記空き溝の後側にはロック溝が設置され、前記ロック溝の後端壁の中には動かし溝が連通するように設置され、前記動かし溝の中には前記回転棒と当接した動かし棒がスライド可能に設置され、前記回転棒の左端は前記連通溝の中に位置し、前記動かし棒の後端と前記動かし溝との間には捩りばねが固定的に設置され、前記ロック溝の右端壁の中には圧迫ブロック溝が連通するように設置され、前記圧迫ブロック溝の中には前記回転棒の右端と当接した圧迫ブロックがスライド可能に設置され、前記圧迫ブロックの右端面は斜面であり、前記圧迫ブロックの右端と前記圧迫ブロック溝との間には圧迫ばねが固定的に設置され、前記圧迫ブロック溝の後端壁にはスライド溝が連通するように設置され、前記スライド溝の中には前記圧迫ブロックの後端面と当接したロック軸がスライド可能に設置され、前記ロック軸の後端は上側の前記引掛り溝の中に位置し、前記ロック溝の下端面には前記ロック軸を復位させることができる第一復位ユニットが固定的に設置され、
前記回転棒は回転し、前記ケースの上昇を連動させ、前記回転棒と前記動かし棒とが当接した時に、前記ケースの位置は固定される。
【０００７】
さらなる技術プランとして、前記引張装置は前方に開口した回転溝を含み、前記回転溝と前記通過溝との間には押しブロックがスライド可能に設置され、前記押しブロックの上端には前記押しブロックを復位させることができる復位ユニットが固定的に設置され、前記回転溝の中には押し引き棒が回転可能に設置され、前記押し引き棒の後端と前記回転溝との間には回転ばねが固定的に設置され、前記昇降溝の前側と外部との間には収縮溝が連通するように設置され、左右の前記押し引き棒の前端は前記収縮溝の中に位置し、前記収縮溝の中には環状の押し環が設置され、前記押し環の後端と二つの前記押し引き棒の前端とが固定的に連結され、
前記ケースは上昇して前記押し引き棒を押し動かして回転連動させ、前記押し環を外部に回転させ、前記押し環が前記ケースを押し動かせる。
【発明の効果】
【０００８】
本発明の有益効果は：本発明はシンプルな構成と簡単な操作方法を有し、回転棒の回転によって、工具箱を上昇させることができ、そしてローラは力を受け、工具箱を支え、またローラの回転によって、工具箱の移動中に腕への負担を軽減でき、工具箱の収納と取り出しに便利である。
【図面の簡単な説明】
【０００９】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の手提げ工具箱の内部全体構成略図
【図２】図２は図１におけるＡの拡大構成略図
【図３】図３は図２におけるＢ―Ｂ方向からの構成略図
【図４】図４は図１におけるＣ―Ｃ方向からの構成略図
【図５】図５は図４におけるＤの拡大構成略図
【図６】図６は図４におけるＥ―Ｅ方向からの構成略図
【発明を実施するための形態】
【００１１】
図１〜６を参照し、本発明の手提げ工具箱は、ケース１０を含み、前記ケース１０の中には置きチャンバ１１が設置され、前記ケース１０の上端にはケース蓋１２が回転可能に設置され、前記ケース蓋１２と前記ケース１０とはパスワードロック１３によって連結され、前記置きチャンバ１１の下側には昇降溝１４が設置され、前記昇降溝１４の中には移動ブロック１５が設置され、前記移動ブロック１５の中には空き溝１６が左右対称に設置され、前記空き溝１６の中にはネジ山軸１７が回転可能に設置され、左右の前記ネジ山軸１７の下端の間にはベルト２０によって伝動可能に連結され、前記昇降溝１４の上端壁の中には左右対称なネジ山溝１８が連通するように設置され、前記ネジ山軸１７の上端は前記ネジ山溝１８の中に位置し、且つ前記ネジ山溝１８とネジ山によって連結され、左側の前記ネジ山軸１７には第一傘歯車１９が固定的に設置され、前記第一傘歯車１９の左端には第二傘歯車２１が噛み合えるように連結され、前記第二傘歯車２１の左端には回転軸２２が固定的に設置され、左側の前記空き溝１６の後端には回転ロック装置１００が設置され、前記回転ロック装置１００と前記回転軸２２とは回転可能に連結され、二つの前記空き溝１６にはそれぞれローラ溝３２が前後対称に設置され、前記ローラ溝３２の中にはローラ３３が回転可能に設置され、前側の二つの前記ローラ溝３２の上端には引張装置２００が設置され、前記引張装置２００は前記ケース１０を引き動かすことができ、前記昇降溝１４の前後端壁の中にはそれぞれ位置制限溝３４が左右対称に設置され、前記位置制限溝３４の中には位置制限ブロック３５がスライド可能に設置され、前記位置制限ブロック３５のうち前記空き溝１６に近接した端は前記移動ブロック１５と固定的に連結され、前側の前記位置制限ブロック３５の中には通過溝４０が設置され、前記位置制限ブロック３５の下端と前記位置制限溝３４との間には圧縮ばね３６が固定的に設置され、前側の前記位置制限溝３４の下端壁には付勢ブロック４１が固定的に設置され、前記付勢ブロック４１と前記引張装置２００とが当接でき、左後側の前記位置制限溝３４の後端壁の中には上下対称な引掛り溝３７が連通するように設置され、前記引掛り溝３７と前記回転ロック装置１００とが引掛りって前記ケース１０の位置を固定でき、
前記ケース１０が上昇する時に、前記ローラ３３によって前記ケース１０の移動を連動させる。
【００１２】
好ましくは、前記回転ロック装置１００は前記昇降溝１４と外部とを連通する連通溝２４を含み、前記回転軸２２の左端は前記連通溝２４の中に位置し、且つ前記回転軸２２の左端には回転棒２３が回転可能に連結され、前記空き溝１６の後側にはロック溝２６が設置され、前記ロック溝２６の後端壁の中には動かし溝２９が連通するように設置され、前記動かし溝２９の中には前記回転棒２３と当接した動かし棒３０がスライド可能に設置され、前記回転棒３０の左端は前記連通溝２４の中に位置し、前記動かし棒３０の後端と前記動かし溝２９との間には捩りばね３１が固定的に設置され、前記ロック溝２６の右端壁の中には圧迫ブロック溝２５が連通するように設置され、前記圧迫ブロック溝２５の中には前記回転棒２３の右端と当接した圧迫ブロック２７がスライド可能に設置され、前記圧迫ブロック２７の右端面は斜面であり、前記圧迫ブロック２７の右端と前記圧迫ブロック溝２５との間には圧迫ばね２８が固定的に設置され、前記圧迫ブロック溝２５の後端壁にはスライド溝３９が連通するように設置され、前記スライド溝３９の中には前記圧迫ブロック２７の後端面と当接したロック軸３８がスライド可能に設置され、前記ロック軸３８の後端は上側の前記引掛り溝３７の中に位置し、前記ロック溝３８の下端面には前記ロック軸３８を復位させることができる第一復位ユニット４９が固定的に設置され、
前記回転棒２３は回転し、前記ケース１０の上昇を連動させ、前記回転棒２３と前記動かし棒３０とが当接した時に、前記ケース１０の位置は固定される。
【００１３】
好ましくは、前記引張装置２００は前方に開口した回転溝３５を含み、前記回転溝４５と前記通過溝４０との間には押しブロック４３がスライド可能に設置され、前記押しブロック４３の上端には前記押しブロック４３を復位させることができる復位ユニット４４が固定的に設置され、前記回転溝４５の中には押し引き棒４６が回転可能に設置され、前記押し引き棒４６の後端と前記回転溝４５との間には回転ばね４７が固定的に設置され、前記昇降溝１４の前側と外部との間には収縮溝４２が連通するように設置され、左右の前記押し引き棒４６の前端は前記収縮溝４２の中に位置し、前記収縮溝４２の中には環状の押し環４８が設置され、前記押し環４８の後端と二つの前記押し引き棒４６の前端とが固定的に連結され、
前記ケース１０は上昇して前記押し引き棒４６を押し動かして回転連動させ、前記押し環４８を外部に回転させ、前記押し環４８が前記ケース１０を押し動かせる。
【００１４】
初期状態では、ケース１０の下端面と地面は当接しており、圧縮ばね３６は自然状態にあり、押し引き棒４６は回転溝４５の中に収納され、回転棒２３と動かし棒３０とは当接しており、圧迫ばね２８は圧縮状態にある。
【００１５】
作動時、動かし棒３０を後ろに引張り、回転棒２３を外部に回転させ、この時、圧迫ブロック２７は圧迫ばね２８によって左に移動することで、ロック軸３８を前に移動させて上側の引掛り溝３７と離脱させ、続いて、回転棒２３を自転させ、それにより、回転軸２２は回転し、そして第二傘歯車２１は回転し、ベルト２０によって二つのネジ山軸１７を同期に回転させ、ネジ山溝１８によってケース１０を上昇させることで、ローラ３３の下端面は地面と当接し、ケース１９が上昇している時に、付勢ブロック４１もともに上昇し、押しブロック４３を圧迫して後ろに移動させ、それにより、押し引き棒４６は回転し、押し環４８の前端を収縮溝４２の前端に位置させて握りに便利であり、位置制限ブロック３５の下端と位置制限溝３４とが当接した時に、ケース１０は上昇を止め、この時、下側の引掛り溝３７とロック軸３８との位置は合わせられており、そして回転棒２３をロック溝２６の中に回転させ、動かし棒３０を圧迫して後ろに移動させ、動かし棒３０は捩りばね３１によって復位して回転棒２３と当接し、回転棒２３を固定し、そして回転棒２３は圧迫ブロック２７を押して右に移動させることで、ロック軸３８を後ろに移動させて下側の引掛り溝３７に引っ掛け、それにより、ケース１０の位置は固定され、手で押し環４８を握り、ローラ３３を通じてケース１０を自由に移動することができ、人力で工具箱を取る時の腕への負担を軽減できる。
【００１６】
本発明の有益効果は：本発明はシンプルな構成と簡単な操作方法を有し、回転棒の回転によって、工具箱を上昇させることができ、そしてローラは力を受け、工具箱を支え、またローラの回転によって、工具箱の移動中に腕への負担を軽減でき、工具箱の収納と取り出しに便利である。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175165.tif 000003
【図２】
2020175165.tif 000004
【図３】
2020175165.tif 000005
【図４】
2020175165.tif 000006
【図５】
2020175165.tif 000007
【図６】
2020175165.tif 000008
【手続補正書】
【提出日】令和2年2月26日(2020.2.26)
【手続補正１】
【補正対象書類名】特許請求の範囲
【補正対象項目名】全文
【補正方法】変更
【補正の内容】
【特許請求の範囲】
【請求項１】
正面視で、ケースを含み、前記ケースの中には置きチャンバが設置され、前記ケースの上端にはケース蓋が回転可能に設置され、前記ケース蓋と前記ケースとはパスワードロックによって連結され、前記置きチャンバの下側には昇降溝が設置され、前記昇降溝の中には移動ブロックが設置され、前記移動ブロックの中には空き溝が左右対称に設置され、前記空き溝の中にはネジ山軸が回転可能に設置され、左右の前記ネジ山軸の下端の間にはベルトによって伝動可能に連結され、前記昇降溝の上端壁の中には左右対称なネジ山溝が連通するように設置され、前記ネジ山軸の上端は前記ネジ山溝の中に位置し、且つ前記ネジ山溝とネジ山によって連結され、左側の前記ネジ山軸には第一傘歯車が固定的に設置され、前記第一傘歯車の左端には第二傘歯車が噛み合えるように連結され、前記第二傘歯車の左端には回転軸が固定的に設置され、左側の前記空き溝の後端には回転ロック装置が設置され、前記回転ロック装置と前記回転軸とは回転可能に連結され、二つの前記空き溝にはそれぞれローラ溝が前記空き溝を中心として前後対称に設置され、前記ローラ溝の中にはローラが回転可能に設置され、前側の二つの前記ローラ溝の上端には引張装置が設置され、前記引張装置は前記ケースを引き動かすことができ、前記昇降溝の前後端壁の中にはそれぞれ位置制限溝が左右対称に設置され、前記位置制限溝の中には位置制限ブロックがスライド可能に設置され、前記位置制限ブロックのうち前記空き溝に近接した端は前記移動ブロックと固定的に連結され、前側の前記位置制限ブロックの中には通過溝が設置され、前記位置制限ブロックの下端と前記位置制限溝との間には圧縮ばねが固定的に設置され、前側の前記位置制限溝の下端壁には付勢ブロックが固定的に設置され、前記付勢ブロックと前記引張装置とが当接でき、左後側の前記位置制限溝の後端壁の中には上下対称な引掛り溝が連通するように設置され、前記引掛り溝と前記回転ロック装置とが引っ掛かって前記ケースの位置を固定でき、前記ケースが上昇する時に、前記ローラによって前記ケースの移動を連動させることを特徴とする手提げ工具箱。
【請求項２】
前記回転ロック装置は前記昇降溝と外部とを連通する連通溝を含み、前記回転軸の左端は前記連通溝の中に位置し、且つ前記回転軸の左端には回転棒が回転可能に連結され、前記空き溝の後側にはロック溝が設置され、前記ロック溝の後端壁の中には動かし溝が連通するように設置され、前記動かし溝の中には前記回転棒と当接した動かし棒がスライド可能に設置され、前記動かし棒の左端は前記連通溝の中に位置し、前記動かし棒の後端と前記動かし溝との間には捩りばねが固定的に設置され、前記ロック溝の右端壁の中には圧迫ブロック溝が連通するように設置され、前記圧迫ブロック溝の中には前記回転棒の右端と当接した圧迫ブロックがスライド可能に設置され、前記圧迫ブロックの右端面は斜面であり、前記圧迫ブロックの右端と前記圧迫ブロック溝との間には圧迫ばねが固定的に設置され、前記圧迫ブロック溝の後端壁にはスライド溝が連通するように設置され、前記スライド溝の中には前記圧迫ブロックの後端面と当接したロック軸がスライド可能に設置され、前記ロック軸の後端は上側の前記引掛り溝の中に位置し、前記ロック溝の下端面には前記ロック軸を復位させることができる第一復位ユニットが固定的に設置され、前記回転棒は回転し、前記ケースの上昇を連動させ、前記回転棒と前記動かし棒とが当接した時に、前記ケースの位置は固定されることを特徴とする請求項１に記載の手提げ工具箱。
【請求項３】
前記引張装置は前方に開口した回転溝を含み、前記回転溝と前記通過溝との間には押しブロックがスライド可能に設置され、前記押しブロックの上端には前記押しブロックを復位させることができる復位ユニットが固定的に設置され、前記回転溝の中には押し引き棒が回転可能に設置され、前記押し引き棒の後端と前記回転溝との間には回転ばねが固定的に設置され、前記昇降溝の前側と外部との間には収縮溝が連通するように設置され、左右の前記押し引き棒の前端は前記収縮溝の中に位置し、前記収縮溝の中には環状の押し環が設置され、前記押し環の後端と二つの前記押し引き棒の前端とが固定的に連結され、前記ケースは上昇して前記押し引き棒を押し動かして回転連動させ、前記押し環を外部に回転させ、前記押し環が前記ケースを押し動かせることを特徴とする請求項１に記載の手提げ工具箱。  
【手続補正２】
【補正対象書類名】明細書
【補正対象項目名】全文
【補正方法】変更
【補正の内容】
【発明の詳細な説明】
【技術分野】
【０００１】
本発明は箱分野を取り上げ、具体的には手提げ工具箱である。
【背景技術】
【０００２】
既存する工具箱のケースの外部には取っ手しか設置されていない。しかし、取っ手で工具箱を取ったり、持ち歩いたりする時に、金具などの工具が工具箱に置いてあるため、工具箱は重くて、持ち歩くのには力がかかる。また、工具箱を置く時に、基本的には横に向いて後ろから押すという形で収納棚に収納し、取り出す時に腕に負担をかけ、実に不便である。そのため、既存する工具箱にさらなる改進をする必要があり、工具箱の携帯性と実用性を向上させる。
【先行技術文献】
【特許文献】
【０００３】
【特許文献１】中国特許出願公開第１０３８１７６７４号明細書
【発明の概要】
【発明が解決しようとする課題】
【０００４】
本発明は手提げ工具箱を提供し、既存技術にある上記の欠点を解消することを目的とする。
【課題を解決するための手段】
【０００５】
本発明の手提げ工具箱は、ケースを含み、前記ケースの中には置きチャンバが設置され、前記ケースの上端にはケース蓋が回転可能に設置され、前記ケース蓋と前記ケースとはパスワードロックによって連結され、前記置きチャンバの下側には昇降溝が設置され、前記昇降溝の中には移動ブロックが設置され、前記移動ブロックの中には空き溝が左右対称に設置され、前記空き溝の中にはネジ山軸が回転可能に設置され、左右の前記ネジ山軸の下端の間にはベルトによって伝動可能に連結され、前記昇降溝の上端壁の中には左右対称なネジ山溝が連通するように設置され、前記ネジ山軸の上端は前記ネジ山溝の中に位置し、且つ前記ネジ山溝とネジ山によって連結され、左側の前記ネジ山軸には第一傘歯車が固定的に設置され、前記第一傘歯車の左端には第二傘歯車が噛み合えるように連結され、前記第二傘歯車の左端には回転軸が固定的に設置され、左側の前記空き溝の後端には回転ロック装置が設置され、前記回転ロック装置と前記回転軸とは回転可能に連結され、二つの前記空き溝にはそれぞれローラ溝が前記空き溝を中心として前後対称に設置され、前記ローラ溝の中にはローラが回転可能に設置され、前側の二つの前記ローラ溝の上端には引張装置が設置され、前記引張装置は前記ケースを引き動かすことができ、前記昇降溝の前後端壁の中にはそれぞれ位置制限溝が左右対称に設置され、前記位置制限溝の中には位置制限ブロックがスライド可能に設置され、前記位置制限ブロックのうち前記空き溝に近接した端は前記移動ブロックと固定的に連結され、前側の前記位置制限ブロックの中には通過溝が設置され、前記位置制限ブロックの下端と前記位置制限溝との間には圧縮ばねが固定的に設置され、前側の前記位置制限溝の下端壁には付勢ブロックが固定的に設置され、前記付勢ブロックと前記引張装置とが当接でき、左後側の前記位置制限溝の後端壁の中には上下対称な引掛り溝が連通するように設置され、前記引掛り溝と前記回転ロック装置とが引っ掛かって前記ケースの位置を固定でき、前記ケースが上昇する時に、前記ローラによって前記ケースの移動を連動させる。
【０００６】
さらなる技術プランとして、前記回転ロック装置は前記昇降溝と外部とを連通する連通溝を含み、前記回転軸の左端は前記連通溝の中に位置し、且つ前記回転軸の左端には回転棒が回転可能に連結され、前記空き溝の後側にはロック溝が設置され、前記ロック溝の後端壁の中には動かし溝が連通するように設置され、前記動かし溝の中には前記回転棒と当接した動かし棒がスライド可能に設置され、前記動かし棒の左端は前記連通溝の中に位置し、前記動かし棒の後端と前記動かし溝との間には捩りばねが固定的に設置され、前記ロック溝の右端壁の中には圧迫ブロック溝が連通するように設置され、前記圧迫ブロック溝の中には前記回転棒の右端と当接した圧迫ブロックがスライド可能に設置され、前記圧迫ブロックの右端面は斜面であり、前記圧迫ブロックの右端と前記圧迫ブロック溝との間には圧迫ばねが固定的に設置され、前記圧迫ブロック溝の後端壁にはスライド溝が連通するように設置され、前記スライド溝の中には前記圧迫ブロックの後端面と当接したロック軸がスライド可能に設置され、前記ロック軸の後端は上側の前記引掛り溝の中に位置し、前記ロック溝の下端面には前記ロック軸を復位させることができる第一復位ユニットが固定的に設置され、前記回転棒は回転し、前記ケースの上昇を連動させ、前記回転棒と前記動かし棒とが当接した時に、前記ケースの位置は固定される。
【０００７】
さらなる技術プランとして、前記引張装置は前方に開口した回転溝を含み、前記回転溝と前記通過溝との間には押しブロックがスライド可能に設置され、前記押しブロックの上端には前記押しブロックを復位させることができる復位ユニットが固定的に設置され、前記回転溝の中には押し引き棒が回転可能に設置され、前記押し引き棒の後端と前記回転溝との間には回転ばねが固定的に設置され、前記昇降溝の前側と外部との間には収縮溝が連通するように設置され、左右の前記押し引き棒の前端は前記収縮溝の中に位置し、前記収縮溝の中には環状の押し環が設置され、前記押し環の後端と二つの前記押し引き棒の前端とが固定的に連結され、前記ケースは上昇して前記押し引き棒を押し動かして回転連動させ、前記押し環を外部に回転させ、前記押し環が前記ケースを押し動かせる。
【発明の効果】
【０００８】
本発明の有益効果は：本発明はシンプルな構成と簡単な操作方法を有し、回転棒の回転によって、工具箱を上昇させることができ、そしてローラは力を受け、工具箱を支え、またローラの回転によって、工具箱の移動中に腕への負担を軽減でき、工具箱の収納と取り出しに便利である。
【図面の簡単な説明】
【０００９】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の手提げ工具箱の内部全体構成略図
【図２】図２は図１におけるＡの拡大構成略図
【図３】図３は図２におけるＢ―Ｂ方向からの構成略図
【図４】図４は図１におけるＣ―Ｃ方向からの構成略図
【図５】図５は図４におけるＤの拡大構成略図
【図６】図６は図４におけるＥ―Ｅ方向からの構成略図
【発明を実施するための形態】
【００１１】
図１〜６を参照し、本発明の手提げ工具箱は、ケース１０を含み、前記ケース１０の中には置きチャンバ１１が設置され、前記ケース１０の上端にはケース蓋１２が回転可能に設置され、前記ケース蓋１２と前記ケース１０とはパスワードロック１３によって連結され、前記置きチャンバ１１の下側には昇降溝１４が設置され、前記昇降溝１４の中には移動ブロック１５が設置され、前記移動ブロック１５の中には空き溝１６が左右対称に設置され、前記空き溝１６の中にはネジ山軸１７が回転可能に設置され、左右の前記ネジ山軸１７の下端の間にはベルト２０によって伝動可能に連結され、前記昇降溝１４の上端壁の中には左右対称なネジ山溝１８が連通するように設置され、前記ネジ山軸１７の上端は前記ネジ山溝１８の中に位置し、且つ前記ネジ山溝１８とネジ山によって連結され、左側の前記ネジ山軸１７には第一傘歯車１９が固定的に設置され、前記第一傘歯車１９の左端には第二傘歯車２１が噛み合えるように連結され、前記第二傘歯車２１の左端には回転軸２２が固定的に設置され、左側の前記空き溝１６の後端には回転ロック装置１００が設置され、前記回転ロック装置１００と前記回転軸２２とは回転可能に連結され、二つの前記空き溝１６にはそれぞれローラ溝３２が前記空き溝１６を中心として前後対称に設置され、前記ローラ溝３２の中にはローラ３３が回転可能に設置され、前側の二つの前記ローラ溝３２の上端には引張装置２００が設置され、前記引張装置２００は前記ケース１０を引き動かすことができ、前記昇降溝１４の前後端壁の中にはそれぞれ位置制限溝３４が左右対称に設置され、前記位置制限溝３４の中には位置制限ブロック３５がスライド可能に設置され、前記位置制限ブロック３５のうち前記空き溝１６に近接した端は前記移動ブロック１５と固定的に連結され、前側の前記位置制限ブロック３５の中には通過溝４０が設置され、前記位置制限ブロック３５の下端と前記位置制限溝３４との間には圧縮ばね３６が固定的に設置され、前側の前記位置制限溝３４の下端壁には付勢ブロック４１が固定的に設置され、前記付勢ブロック４１と前記引張装置２００とが当接でき、左後側の前記位置制限溝３４の後端壁の中には上下対称な引掛り溝３７が連通するように設置され、前記引掛り溝３７と前記回転ロック装置１００とが引っ掛かって前記ケース１０の位置を固定でき、前記ケース１０が上昇する時に、前記ローラ３３によって前記ケース１０の移動を連動させる。
【００１２】
好ましくは、前記回転ロック装置１００は前記昇降溝１４と外部とを連通する連通溝２４を含み、前記回転軸２２の左端は前記連通溝２４の中に位置し、且つ前記回転軸２２の左端には回転棒２３が回転可能に連結され、前記空き溝１６の後側にはロック溝２６が設置され、前記ロック溝２６の後端壁の中には動かし溝２９が連通するように設置され、前記動かし溝２９の中には前記回転棒２３と当接した動かし棒３０がスライド可能に設置され、前記動かし棒３０の左端は前記連通溝２４の中に位置し、前記動かし棒３０の後端と前記動かし溝２９との間には捩りばね３１が固定的に設置され、前記ロック溝２６の右端壁の中には圧迫ブロック溝２５が連通するように設置され、前記圧迫ブロック溝２５の中には前記回転棒２３の右端と当接した圧迫ブロック２７がスライド可能に設置され、前記圧迫ブロック２７の右端面は斜面であり、前記圧迫ブロック２７の右端と前記圧迫ブロック溝２５との間には圧迫ばね２８が固定的に設置され、前記圧迫ブロック溝２５の後端壁にはスライド溝３９が連通するように設置され、前記スライド溝３９の中には前記圧迫ブロック２７の後端面と当接したロック軸３８がスライド可能に設置され、前記ロック軸３８の後端は上側の前記引掛り溝３７の中に位置し、前記ロック溝３８の下端面には前記ロック軸３８を復位させることができる第一復位ユニット４９が固定的に設置され、前記回転棒２３は回転し、前記ケース１０の上昇を連動させ、前記回転棒２３と前記動かし棒３０とが当接した時に、前記ケース１０の位置は固定される。
【００１３】
好ましくは、前記引張装置２００は前方に開口した回転溝４５を含み、前記回転溝４５と前記通過溝４０との間には押しブロック４３がスライド可能に設置され、前記押しブロック４３の上端には前記押しブロック４３を復位させることができる復位ユニット４４が固定的に設置され、前記回転溝４５の中には押し引き棒４６が回転可能に設置され、前記押し引き棒４６の後端と前記回転溝４５との間には回転ばね４７が固定的に設置され、前記昇降溝１４の前側と外部との間には収縮溝４２が連通するように設置され、左右の前記押し引き棒４６の前端は前記収縮溝４２の中に位置し、前記収縮溝４２の中には環状の押し環４８が設置され、前記押し環４８の後端と二つの前記押し引き棒４６の前端とが固定的に連結され、前記ケース１０は上昇して前記押し引き棒４６を押し動かして回転連動させ、前記押し環４８を外部に回転させ、前記押し環４８が前記ケース１０を押し動かせる。
【００１４】
初期状態では、ケース１０の下端面と地面は当接しており、圧縮ばね３６は自然状態にあり、押し引き棒４６は回転溝４５の中に収納され、回転棒２３と動かし棒３０とは当接しており、圧迫ばね２８は圧縮状態にある。
【００１５】
作動時、動かし棒３０を後ろに引張り、回転棒２３を外部に回転させ、この時、圧迫ブロック２７は圧迫ばね２８によって左に移動することで、ロック軸３８を前に移動させて上側の引掛り溝３７と離脱させ、続いて、回転棒２３を自転させ、それにより、回転軸２２は回転し、そして第二傘歯車２１は回転し、ベルト２０によって二つのネジ山軸１７を同期に回転させ、ネジ山溝１８によってケース１０を上昇させることで、ローラ３３の下端面は地面と当接し、ケース１０が上昇している時に、付勢ブロック４１もともに上昇し、押しブロック４３を圧迫して後ろに移動させ、それにより、押し引き棒４６は回転し、押し環４８の前端を収縮溝４２の前端に位置させて握りに便利であり、位置制限ブロック３５の下端と位置制限溝３４とが当接した時に、ケース１０は上昇を止め、この時、下側の引掛り溝３７とロック軸３８との位置は合わせられており、そして回転棒２３をロック溝２６の中に回転させ、動かし棒３０を圧迫して後ろに移動させ、動かし棒３０は捩りばね３１によって復位して回転棒２３と当接し、回転棒２３を固定し、そして回転棒２３は圧迫ブロック２７を押して右に移動させることで、ロック軸３８を後ろに移動させて下側の引掛り溝３７に引っ掛け、それにより、ケース１０の位置は固定され、手で押し環４８を握り、ローラ３３を通じてケース１０を自由に移動することができ、人力で工具箱を取る時の腕への負担を軽減できる。
【００１６】
本発明の有益効果は：本発明はシンプルな構成と簡単な操作方法を有し、回転棒の回転によって、工具箱を上昇させることができ、そしてローラは力を受け、工具箱を支え、またローラの回転によって、工具箱の移動中に腕への負担を軽減でき、工具箱の収納と取り出しに便利である。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。